(57)【要約】【課題】棚板の取り外し作業を容易に行うことのできるショーケースを提供する。【解決手段】陳列室３０の内部に商品を載置する棚板３２を設置し、棚板３２は、陳列室３０の内面に沿って形成された棚枠体６０と、棚枠体６０上に設置される棚板部材とを備え、棚枠体６０は、陳列室３０の幅方向に延在する一対の横枠体６１と、陳列室３０の前後方向に延在する一対の縦枠体６２とを備え、各横枠体６１および各縦枠体６２は、その各両端部を連結部６３で揺動自在に連結されている。【選択図】図５
2020116115.tif 000002
【特許請求の範囲】
【請求項１】
陳列室の内部に商品を載置する棚板を設置し、
前記棚板は、陳列室の内面に沿って形成された棚枠体と、前記棚枠体上に設置される棚板部材とを備え、
前記棚枠体は、前記陳列室の幅方向に延在する一対の横枠体と、前記陳列室の前後方向に延在する一対の縦枠体とを備え、
前記各横枠体および前記各縦枠体は、その各両端部を連結部で揺動自在に連結されていることを特徴とするショーケース。
【請求項２】
前記横枠体のうち、少なくとも前記陳列室の後方に位置する前記横枠体の両端部分に長穴を形成し、前記各縦枠体は、前記長穴を介して連結されていることを特徴とする請求項１に記載のショーケース。
【請求項３】
少なくとも一方の前記横枠体は、その横枠体の長手方向の中途部で折曲自在に構成されていることを特徴とする請求項１に記載のショーケース。
【請求項４】
前記各縦枠体の前記陳列室の後方端には、前記横枠体より後方に延在する把持部が形成されていることを特徴とする請求項１から請求項３のいずれか一項に記載のショーケース。
【請求項５】
陳列室の内部に商品を載置する棚板を設置し、
前記棚板は、陳列室の内面に沿って形成された棚枠体と、前記棚枠体上に設置される棚板部材とを備え、
前記棚枠体は、前記陳列室の幅方向に延在する一対の横枠体と、前記陳列室の前後方向に延在する一対の縦枠体とを備え、
前記各横枠体は、陳列室の幅方向に伸縮自在とされていることを特徴とするショーケース。
【請求項６】
陳列室の内部に商品を載置するための棚板において、
陳列室の内面に沿って形成された棚枠体と、前記棚枠体上に設置される棚板部材とを備え、
前記棚枠体は、前記陳列室の幅方向に延在する一対の横枠体と、前記陳列室の前後方向に延在する一対の縦枠体とを備え、
前記各横枠体および前記各縦枠体は、その各両端部を連結部で揺動自在に連結されていることを特徴とする棚板。
【発明の詳細な説明】
【技術分野】
【０００１】
本発明は、ショーケース及び棚板に係り、特に、陳列室内に商品を陳列するショーケース及び棚板に関する。
【背景技術】
【０００２】
従来から、コンビニエンスストアのカウンタなどに設置される小型の低温ショーケースが知られている。
従来、このようなショーケースとして、本体４内に構成された陳列室８と、この陳列室８の開口８Ａを開閉自在に閉塞する回動式の扉９と、陳列室８内にスライド自在に架設された棚１２とを備え、棚１２を開口から陳列室８外まで引き出し可能とした技術が開示されている（例えば、特許文献１参照）。
【先行技術文献】
【特許文献】
【０００３】
【特許文献１】特開２０１４−１４２０８１号公報
【発明の概要】
【発明が解決しようとする課題】
【０００４】
前記従来のショーケースでは、棚を引き出すことで、商品の出し入れ作業を容易にしたものである。
しかしながら、棚板が陳列室の内部に設置したまま使用されるショーケースにおいては、陳列室の内部空間を有効に活用するため、棚板の幅寸法を陳列室の内部幅寸法のぎりぎりまで確保するようにしている。
このようなショーケースにおいて棚板を清掃する場合、棚板を陳列室から取り出して清掃する。この場合、ショーケースの背面に形成された開口から棚板を取り出すものであるが、棚板を陳列室の内部幅寸法のぎりぎりまで形成しているので、棚板をそのままでは取り出すことができず、例えば、棚板を傾斜させたりする必要がある。
ショーケースに複数の棚板を設置した場合に、棚板の傾斜させる空間を確保することができない場合もあり、棚板の取り外し作業が極めて煩雑になるという問題がある。
【０００５】
本発明は前記した点に鑑みてなされたものであり、棚板の取り外し作業を容易に行うことのできるショーケース及び棚板を提供することを目的とする。
【課題を解決するための手段】
【０００６】
前記目的を達成するため、本発明は、陳列室の内部に商品を載置する棚板を設置し、前記棚板は、陳列室の内面に沿って形成された棚枠体と、前記棚枠体上に設置される棚板部材とを備え、前記棚枠体は、前記陳列室の幅方向に延在する一対の横枠体と、前記陳列室の前後方向に延在する一対の縦枠体とを備え、前記各横枠体および前記各縦枠体は、その各両端部を連結部で揺動自在に連結されていることを特徴とする。
これによれば、横枠体と縦枠体との連結部を揺動させることにより、棚枠体を、その幅寸法が小さくなるように変形することができるため、棚枠体を傾けることなく、陳列室の開口から引き出すことができる。
【発明の効果】
【０００７】
本発明によれば、横枠体と縦枠体との連結部を揺動させることにより、棚枠体を、その幅寸法が小さくなるように変形することができるため、棚枠体を傾けることなく、陳列室の開口から引き出すことができる。
【図面の簡単な説明】
【０００８】
【図１】本発明に係るショーケースの第１実施の形態を示す正面図。
【図２】第１実施の形態のショーケースの背面図。
【図３】第１実施の形態のショーケースの側面図。
【図４】第１実施の形態のショーケースの側面断面図。
【図５】第１実施の形態のショーケースの扉を開いた状態を示す平面図。
【図６】第１実施の形態の棚枠体を示す平面図。
【図７】第１実施の形態の棚枠体の変形状態の例を示す斜視図。
【図８】第２実施の形態のショーケースを示す平面図。
【図９】第３実施の形態のショーケースを示す平面図。
【発明を実施するための形態】
【０００９】
第１の発明は、陳列室の内部に商品を載置する棚板を設置し、前記棚板は、陳列室の内面に沿って形成された棚枠体と、前記棚枠体上に設置される棚板部材とを備え、前記棚枠体は、前記陳列室の幅方向に延在する一対の横枠体と、前記陳列室の前後方向に延在する一対の縦枠体とを備え、前記各横枠体および前記各縦枠体は、その各両端部を連結部で揺動自在に連結されている。
これによれば、横枠体と縦枠体との連結部を揺動させることにより、棚枠体を、その幅寸法が小さくなるように変形することができるため、棚枠体を傾けることなく、陳列室の開口から引き出すことができる。
【００１０】
第２の発明は、前記横枠体のうち、少なくとも前記陳列室の後方に位置する前記横枠体の両端部分に長穴を形成し、前記各縦枠体は、前記長穴を介して連結されている。
これによれば、横枠体の長穴を介した連結部を介して、縦枠体を横枠体の長手方向に沿って移動させることができ、棚枠体の幅寸法をより容易に小さくなるように変形させることができる。
【００１１】
第３の発明は、少なくとも一方の前記横枠体は、その横枠体の長手方向の中途部で折曲自在に構成されている。
これによれば、横枠体と縦枠体との連結部を揺動させるとともに、横枠体をその略中央部から折曲させることにより、棚枠体を、その幅寸法が小さくなるように変形することができるため、棚枠体を傾けることなく、陳列室の開口から引き出すことができる。
【００１２】
第４の発明は、前記各縦枠体の前記陳列室の後方端には、前記横枠体より後方に延在する把持部が形成されている。
これによれば、把持部を把持して縦枠体を操作することにより、棚枠体の変形操作を容易に行うことができる。
【００１３】
第５の発明は、陳列室の内部に商品を載置する棚板を設置し、前記棚板は、陳列室の内面に沿って形成された棚枠体と、前記棚枠体上に設置される棚板部材とを備え、前記棚枠体は、前記陳列室の幅方向に延在する一対の横枠体と、前記陳列室の前後方向に延在する一対の縦枠体とを備え、前記各横枠体は、陳列室の幅方向に伸縮自在とされている。
これによれば、各横枠体を陳列室の幅方向に伸縮自在に構成することにより、棚枠体を、その幅寸法が小さくなるように変形することができるため、棚枠体を傾けることなく、陳列室の開口から引き出すことができる。
【００１４】
第６の発明は、陳列室の内部に商品を載置するための棚板において、陳列室の内面に沿って形成された棚枠体と、前記棚枠体上に設置される棚板部材とを備え、前記棚枠体は、前記陳列室の幅方向に延在する一対の横枠体と、前記陳列室の前後方向に延在する一対の縦枠体とを備え、前記各横枠体および前記各縦枠体は、その各両端部を連結部で揺動自在に連結されている。
これによれば、横枠体と縦枠体との連結部を揺動させることにより、棚枠体を、その幅寸法が小さくなるように変形することができるため、棚枠体を傾けることなく、陳列室の開口から引き出すことができる。
【００１５】
以下、本発明の実施の形態について、図面を参照して説明する。
図１は本発明に係るショーケースの第１実施の形態を示す正面図である。図２は第１実施の形態のショーケースの背面図である。図３は、第１実施の形態のショーケースの側面図である。図４は、第１実施の形態のショーケースの側面断面図である。図５は、第１実施の形態のショーケースの扉を開いた状態を示す平面図である。図６は、第１実施の形態の棚枠体を示す平面図である。図７は、第１実施の形態の棚枠体の変形状態の例を示す斜視図である。
本実施の形態のショーケース１は、コンビニエンスストアなどの店舗内において用いられ、例えば、店舗内のレジカウンタなどに据え付けられる小型の低温ショーケースである。
【００１６】
図１から図５に示すように、ショーケース１は、ショーケース１を支持する基台１０と、この基台１０の上方に設置されるケース部１１とから構成されている。
基台１０は、箱型に形成されており、前面パネル１２と、左右両側の側面パネル１３と、背面パネル１４とから構成されている。基台１０の上面には、基台１０の内部とケース部１１とを仕切るデッキパン１５が配置されている。
【００１７】
ケース部１１は、その角部にそれぞれ立設された支柱２０を備えており、各支柱２０の上端部には、天板２１が設けられている。ケース部１１は、各支柱２０により支持された前面ガラス２２と、左右両側の側面ガラス２３とを備えており、ケース部１１の背面側には、開口２４が設けられている。開口２４は、ケース部１１の背面側に位置する支柱２０と、天板２１と、デッキパン１５とにより囲まれた空間に形成されている。
図２に示すように、開口２４には、２枚の扉２５が設けられている。扉２５は、四角枠状に形成された扉枠２６を備え、扉枠２６の内側には、背面ガラス２９がはめ込まれている。各扉２５は、天板２１の後面およびデッキパン１５の後面のそれぞれ両側部分に蝶番２７を介して取り付けられており、各扉２５は、蝶番２７の軸芯を中心軸として観音開き式に開閉自在とされている。各扉枠２６を形成する４つの辺のうち、両方の扉２５を閉じた際に互いに近接する辺には、取っ手２８が設けられている。
【００１８】
ケース部１１の内部は、商品を陳列する陳列室３０とされている。ケース部１１に内側後方には、上下方向に延在する棚支柱３１が設けられている。棚支柱３１の前面には、多数の係合孔３１ａが上下方向に所定間隔で配列されている。
棚支柱３１には、取り付けられる一対の支持部材３３が取り付けられている。支持部材３３の後端部には、棚支柱３１の係合孔に係合されるフック３３ａが形成されている。
そして、支持部材３３のフック３３ａを所定高さに位置する係合孔３１ａに係合させることにより、支持部材３３を任意の高さに固定することができるように構成されている。
一対の支持部材３３の上面には、棚板３２が載置されており、棚板３２およびデッキパン１５の上面に、商品が陳列される構成とされている。なお、本実施の形態においては、３段の棚板３２が設けられている。
【００１９】
図３に示すように、側面ガラス２３の後方には、上下方向に延在する化粧板３４が設けられており、棚板３２の後方部分を外部から被覆するように構成されている。
また、図４に示すように、天板２１の前端部分には、凹部３５が形成されており、この凹部３５には、例えば、ＬＥＤなどからなる照明灯３６が天板２１の全幅に亘って取り付けられている。
【００２０】
図４に示すように、基台１０の内部には、基台１０の内部空間を上下に仕切る仕切り板４０が配置されている。仕切り板４０は、略平面状の平面部４１と、後端部に位置する立ち上げ部としての後部立ち上げ部４２とを備えている。基台１０の内部における仕切り板４０より下方の空間は、機械室４３とされている。基台１０の内部における仕切り板４０の上方で、かつ、デッキパン１５の下方の空間は、ダクト４４とされている。
ダクト４４の後方には、吹出口４６が形成されており、ダクト４４の前方には、吸込口が形成されている。
図５に示すように、吹出口４６には、基台１０の幅方向に延在する吹出カバー８０が設けられており、吹出カバー８０には、多数の吹出スリット８１が形成されている。吸込口４７には、基台１０の幅方向に延在する吸込カバー４８が設けられており、吸込カバー４８には、多数の吸込スリット４９が形成されている。
【００２１】
図２に示すように、機械室４３の背面には、排気カバー５３が設けられており、排気カバー５３には、多数の排気スリット５４が形成されている。
機械室４３の後方には、電源ユニット５５が配置されている。電源ユニット５５には、ショーケース１のＯＮ・ＯＦＦを行う電源スイッチ５６や温度調整スイッチ５７などが設けられている。
【００２２】
また、図示しないが、機械室の内部であって仕切り板４０の後部立ち上げ部４２に対応する位置には、図示しない圧縮機が収容されている。また、機械室の内部には、凝縮器、冷却ファンなどの機器が収容されている。
ダクト４４の内部には、蒸発器が設置されている。圧縮機、凝縮器および蒸発器は、冷媒配管（図示せず）を介して接続されており、圧縮機から凝縮器および蒸発器を循環して圧縮機に戻る冷凍サイクルを構成している。
【００２３】
そして、圧縮機を駆動することにより、圧縮機から吐出された冷媒が凝縮器で熱交換され、その後、蒸発器で熱交換されることで、ダクト４４の内部を流れる空気を冷却し、吹出口４６から陳列室３０に吹き出させる。この冷却空気は、陳列室３０の内部を循環し、吸込スリット４９および吸込口４７からダクト４４の内部に吸い込まれる。この動作が連続して行われることで、陳列室３０の内部を冷却することが可能となる。
【００２４】
次に、棚板３２について説明する。
棚板３２は、棚枠体６０と棚板部材（図示せず）とを備えている。
図６に示すように、棚枠体６０は、陳列室３０の横方向に延在する一対の横枠体６１と、陳列室３０の前後方向に延在する一対の縦枠体６２とを備えている。
陳列室３０の前方に位置する横枠体６１の両端部と、各縦枠体６２の前端部とは、ねじにより連結されており、この連結部６３を中心として、横枠体６１と縦枠体６２とが揺動自在とされている。
また、陳列室３０の後方に位置する横枠体６１の両端部には、横枠体６１の長手方向に沿って延在する長穴６４が形成されている。
【００２５】
陳列室３０の後方に位置する横枠体６１の両端部と、各縦枠体６２の後端部とは、長穴６４を介してねじにより連結された連結部６３とされている。各横枠体６１と各縦枠体６２とは、連結部６３を開始して互いに揺動自在とされている。そして、長穴６４を介して連結されているため、縦枠体６２の後端部は、横枠体６１の長穴６４に沿って移動自在とされている。
各縦枠体６２の陳列室３０の後方端には、各横枠体６１より後方に延在する把持部６５が形成されている。
【００２６】
横枠体６１と縦枠体６２とは、通常の使用状態において、連結部６３を中心に横枠体６１と縦枠体６２とが成す角（内角）が略直角となる状態に保持されている。この状態で、縦枠体６２の後端側の連結部６３は、長穴６４の最も外側に位置している。
そして、横枠体６１と縦枠体６２とにより形成された枠の内側には、例えば、ガラスなどの透明な材料からなる２枚の棚板部材が着脱自在に載置されている。
ここで、棚板部材はガラス製のものに限定されず、透明の材料からなるものに限定されない。また、２枚に限らず複数枚で構成されるものとしても良い。
ただし、通常の使用状態では、棚枠体６０が陳列室３０の内部に設置された状態（本実施の形態においては連結部６３を中心に横枠体６１と縦枠体６２とが成す角が直角となる状態）において、棚板部材が棚枠体６０に載置され、その上に商品などが陳列されるため、商品を陳列するための棚板部材が複数枚の板で構成される場合、通常の使用状態において棚枠体６０上に隙間無く配置される寸法や形状であることが好ましい。
【００２７】
次に、本実施形態の作用について説明する。
本実施形態のショーケース１においては、圧縮機を駆動することにより、蒸発器とダクト４４の内部を流れる空気とが熱交換されて冷却され、この冷却された空気が吹出口４６を介して陳列室３０に吹き出される。これにより、陳列室３０の内部が所定温度に冷却される。
また、陳列室３０の内部空気は、陳列室３０の内部を循環した後、吸込口４７を介してダクト４４の内部に取り込まれ、再び、蒸発器６０と熱交換が行われる。
【００２８】
また、作業者が棚枠体６０を陳列室３０から取り出す場合は、まず、棚枠体６０から棚板部材を取り外し、棚枠体６０のみが設置されている状態にする。棚板部材は複数枚に分割されているため、載置された棚板部材を持ち上げて載置された状態と平行なまま取り外すことができる。
あるいは、複数の棚板部材のそれぞれは幅方向が棚枠体６０よりも短いため、幅方向に多少の傾斜が生じても、扉枠２６に衝突することなく棚板部材を取り外すことができる。
次に、棚枠部材が取り外された状態で棚枠体６０をそのまま平行に取り外そうとしても棚板枠６０が扉枠２６に当たって外部に引き出せない。そのため、作業者は、縦枠体６２の把持部６５を把持し、横枠体６１の長穴６４に沿って、縦枠体６２を内側に移動させる。
この移動量は、任意である。この縦枠体６２の移動と一緒に、横枠体６１と縦枠体６２との連結部６３を揺動させるように、縦枠体６２を前後方向に操作することにより、棚枠体６０は、例えば、図に示すように、棚枠体６０の幅寸法が小さくなるように変形される。
この状態で、陳列室３０の開口２４から引き出すことにより、棚枠体６０を傾けることなく、開口２４から引き出すことができる。
【００２９】
また、棚枠体６０を陳列室３０に設置する場合は、上記とは逆に、横枠体６１と縦枠体６２との連結部６３を揺動させて、棚枠体６０の幅寸法が小さくなるように変形させた状態で、開口２４から陳列室３０に挿入し、陳列室３０の内部において、横枠体６１および縦枠体６２の連結部６３分が略直角になるように変形させる。
この状態で、棚枠体６０を支持部材３３上に載置し、さらに棚枠体６０上に棚板部材を載置して、設置が完了する。
【００３０】
以上述べたように、本実施形態においては、陳列室３０の内部に商品を載置する棚板３２を設置し、棚板３２は、陳列室３０の内面に沿って形成された棚枠体６０と、棚枠体６０上に設置される棚板部材とを備え、棚枠体６０は、陳列室３０の幅方向に延在する一対の横枠体６１と、陳列室３０の前後方向に延在する一対の縦枠体６２とを備え、各横枠体６１および各縦枠体６２は、その各両端部を連結部６３で揺動自在に連結されている。
これにより、横枠体６１と縦枠体６２との連結部６３を揺動させることにより、棚枠体６０を、その幅寸法が小さくなるように変形することができるため、棚枠体６０を傾けることなく、陳列室３０の開口２４から引き出すことができる。
【００３１】
また、本実施の形態においては、横枠体６１のうち、少なくとも陳列室３０の後方に位置する横枠体６１の両端部分に長穴６４を形成し、各縦枠体６２は、長穴６４を介して連結されている。
これにより、横枠体６１の長穴６４を介した連結部６３を介して、縦枠体６２を横枠体６１の長手方向に沿って移動させることができ、棚枠体６０の幅寸法をより容易に小さくなるように変形させることができる。
【００３２】
また、本実施の形態においては、各縦枠体６２の陳列室３０の後方端には、横枠体６１より後方に延在する把持部６５が形成されている。
これにより、把持部６５を把持して縦枠体６２を操作することにより、棚枠体６０の変形操作を容易に行うことができる。
【００３３】
次に、本発明の第２実施の形態について説明する。
図８は、第２実施の形態のショーケースを示す平面図である。
図８に示すように、本実施の形態においても、第１実施の形態と同様に、棚枠体６０は、一対の横枠体６１と一対の縦枠体６２とから構成されており、連結部６３を中心として、横枠体６１と縦枠体６２とが回動自在とされている。
各縦枠体６２の陳列室３０の後方端には、各横枠体６１より後方に延在する把持部６５が形成されている。
【００３４】
本実施の形態においては、横枠体６１は、その略中央部から折曲可能に構成されている。すなわち、横枠体６１は、２つの棒状部材７０から構成され、各棒状部材７０の端部を、例えば、蝶番７１により連結することにより、折曲可能に構成したものである。
なお、本実施の形態においては、各横枠体６１をそれぞれ折曲可能に構成しているが、例えば、陳列室３０の後方側の横枠体６１のみを折曲可能に構成するようにしてもよい。
その他の構成は、第１実施の形態と同様であるので、同一部分には同一符号を付してその説明を省略する。
【００３５】
第２実施の形態において、棚枠体６０を陳列室３０から取り出す場合は、縦枠体６２の把持部６５を把持し、各縦枠体６２を互いに近づくように操作する。
これにより、図８に示すように、横枠体６１が蝶番７１を介して折曲されるとともに、横枠体６１と縦枠体６２とが連結部６３を介して揺動され、各横枠体６１の幅寸法が小さくなるように変形される。
この状態で、陳列室３０の開口２４から引き出すことにより、棚枠体６０を傾けることなく、開口２４から引き出すことができる。
【００３６】
以上述べたように、本実施の形態においては、各横枠体６１および各縦枠体６２は、その各両端部を連結部６３で揺動自在に連結されており、少なくとも一方の横枠体６１は、その横枠体６１の長手方向の中途部で折曲自在に構成されている。
これにより、横枠体６１と縦枠体６２との連結部６３を揺動させるとともに、横枠体６１をその略中央部から折曲させることにより、棚枠体６０を、その幅寸法が小さくなるように変形することができるため、棚枠体６０を傾けることなく、陳列室３０の開口２４から引き出すことができる。
【００３７】
次に、本発明の第３実施の形態について説明する。
図９は、第３実施の形態のショーケースを示す平面図である。
図９に示すように、本実施の形態においても、第１実施の形態と同様に、棚枠体６０は、一対の横枠体６１と一対の縦枠体６２とから構成されており、各縦枠体６２の陳列室３０の後方端には、各横枠体６１より後方に延在する把持部６５が形成されている。
【００３８】
本実施の形態においては、横枠体６１は、２つの棒状部材７０と、これら各棒状部材７０を連結する連結部材７２とを備えている。
各棒状部材７０は、連結部材７２の両端部外側に摺動自在に挿入されており、各棒状部材７０の連結部材７２に対応する位置には、長穴状のガイド穴７３が形成されている。
【００３９】
ガイド穴７３には、連結部材７２に螺合されるねじ７４が配置されており、このねじ７４に対してガイド穴７３を移動させることにより、連結部材７２に対して各棒状部材７０を摺動可能に構成している。すなわち、各棒状部材７０を連結部材７２に対して摺動させることにより、横枠体６１の幅寸法が伸縮自在となるように構成されている。
その他の構成は、前記各実施の形態と同様であるので、同一部分には同一符号を付してその説明を省略する。
【００４０】
第３実施の形態において、棚枠体６０を陳列室３０から取り出す場合は、縦枠体６２の把持部６５を把持し、各縦枠体６２を互いに近づくように操作する。
これにより、図９に示すように、横枠体の棒状部材７０が連結部材７２に対して、ガイド穴７３に沿って摺動して収縮され、横枠体の幅寸法が小さくなるように変形される。
この状態で、陳列室３０の開口２４から引き出すことにより、棚枠体６０を傾けることなく、開口２４から引き出すことができる。
【００４１】
以上述べたように、本実施の形態においては、棚枠体６０は、陳列室３０の幅方向に延在する一対の横枠体６１と、陳列室３０の前後方向に延在する一対の縦枠体６２とを備え、各横枠体６１は、陳列室３０の幅方向に伸縮自在とされている。
これにより、横枠体６１を幅方向に収縮させることにより、棚枠体６０を、その幅寸法が小さくなるように変形することができるため、棚枠体６０を傾けることなく、陳列室３０の開口２４から引き出すことができる。
【００４２】
なお、本発明は、前記実施形態に記載のものに限定されるものではなく、本発明の趣旨を逸脱しない範囲で種々変更および応用が可能である。
【産業上の利用可能性】
【００４３】
以上のように、本発明に係るショーケースは、陳列室の内部幅寸法のぎりぎりまで棚板を設置した場合でも、棚板を傾けることなく、棚板の取り外しを容易に行うことのできるショーケースとして好適に利用可能である。
【符号の説明】
【００４４】
１  ショーケース
１０  基台
１１  ケース部
１５  デッキパン
２２  前面ガラス
２３  側面ガラス
２４  開口
２５  扉
３０  陳列室
３２  棚板
３３  支持部材
４０  仕切り板
４４  ダクト
６０  棚枠体
６１  横枠体
６２  縦枠体
６３  連結部
６４  長穴
６５  把持部
７０  棒状部材
７１  蝶番
７２  連結部材
７３  ガイド穴
【図１】
2020116115.tif 000003
【図２】
2020116115.tif 000004
【図３】
2020116115.tif 000005
【図４】
2020116115.tif 000006
【図５】
2020116115.tif 000007
【図６】
2020116115.tif 000008
【図７】
2020116115.tif 000009
【図８】
2020116115.tif 000010
【図９】
2020116115.tif 000011